(57)【要約】【課題】  操作性の良好なデジタル放送受信装置を提供する。【解決手段】  選局手段１０７と、少なくともデジタル放送受信用のデジタルチューナ１０１ｂを有するチューナ処理部１０１と、デジタルチューナ１０１ｂでデジタル放送を受信することの設定がなされているかどうかを判断する受信設定処理部１０５と、選局手段１０７からの選局信号に基づいてチューナ処理部１０１を制御して選局動作を行なうとともに、デジタルチューナ１０１ｂでデジタル放送を受信することの設定がなされていない場合にデジタル放送の受信が可能なチャンネルがあるかどうかをサーチする機能を有する選局処理部１０２とを備えたことを特徴とする。【選択図】    図１
2004297793.tif 000002
【特許請求の範囲】
【請求項１】
選局を行なう選局手段と、
少なくともデジタル放送受信用のデジタルチューナを有するチューナ処理部と、
前記デジタルチューナでデジタル放送を視聴することの設定がなされているかどうかを判断する受信設定処理部と、
前記選局手段からの選局信号に基づいて前記チューナ処理部を制御して選局動作を行なうとともに、前記デジタルチューナでデジタル放送を視聴することの設定がなされていない場合にデジタル放送の受信が可能なチャンネルがあるかどうかをサーチする機能を有する選局処理部と
を備えたことを特徴とするデジタル放送受信装置。
【請求項２】
請求項１記載のデジタル放送受信装置において、前記選局処理部でデジタル放送の受信が可能なチャンネルがあると判定されると、前記受信設定処理部でデジタル放送を視聴することの設定がなされているかどうかをチェックする構成になっていることを特徴とするデジタル放送受信装置。
【請求項３】
請求項２記載のデジタル放送受信装置において、前記受信設定処理部でデジタル放送を受信することの設定がなされていないと判定されると、デジタル放送の受信が可能なことをユーザへ通知する通知手段を備えたことを特徴とするデジタル放送受信装置。
【請求項４】
請求項３記載のデジタル放送受信装置において、前記通知手段は、デジタル放送受信の設定変更を促す通知を共に行う構成になっていることを特徴とするデジタル放送受信装置。
【請求項５】
請求項１記載のデジタル放送受信装置において、前記選局処理部でデジタル放送の受信が可能なチャンネルがあると判定されると、そのチャンネルは新規に追加されたチャンネルかどうかを判断して、追加されたチャンネルであるとその旨をユーザへ通知する通知手段を備えたことを特徴とするデジタル放送受信装置。
【請求項６】
請求項１記載のデジタル放送受信装置において、前記選局処理部でデジタル放送の受信が可能なチャンネルがあると判定されると、そのチャンネルの同調周波数をチックして、そのチェック結果以前から存在していたチャンネルで新たな周波数に変更されたものであると判断されると、その旨をユーザへ通知する通知手段を備えたことを特徴とするデジタル放送受信装置。
【請求項７】
請求項１記載のデジタル放送受信装置において、前記選局処理部でデジタル放送の受信が可能なチャンネルがあると判定されると、そのチャンネルの同調周波数と受信した信号に乗っている周波数情報を比較して、両周波数が異なると判断されると、その旨をユーザへ通知する通知手段を備えたことを特徴とするデジタル放送受信装置。
【請求項８】
請求項５ないし７のいずれか１項記載のデジタル放送受信装置において、前記追加されたチャンネル情報、周波数の変更情報、同調周波数と受信した信号に乗っている周波数情報との相違情報のうちの少なくとも１つのデジタル放送に関する情報が、前記デジタル放送を受信することの設定がなされていないデジタルチューナで取得されることを特徴とするデジタル放送受信装置。
【請求項９】
請求項１記載のデジタル放送受信装置において、前記受信設定処理部が、デジタル放送を受信するがどうかの設定をユーザが行えるユーザメニューを有していることを特徴とするデジタル放送受信装置。
【請求項１０】
請求項１記載のデジタル放送受信装置において、前記デジタル放送が地上デジタル放送であることを特徴とするデジタル放送受信装置。
【請求項１１】
選局を行なう選局手段と、
少なくともデジタル放送受信用のデジタルチューナを有するチューナ処理部と、
前記デジタルチューナでデジタル放送を視聴することの設定がなされているかどうかを判断する受信設定処理部と、
前記選局手段からの選局信号に基づいて前記チューナ処理部を制御して選局動作を行なうとともに、前記デジタルチューナでデジタル放送を視聴することの設定がなされていない場合にデジタル放送の番組情報を取得する機能を有する選局処理部と
を備えたことを特徴とするデジタル放送受信装置。
【発明の詳細な説明】
【技術分野】
【０００１】
本発明は、地上デジタル放送などのデジタル放送が受信可能なデジタル放送受信装置に係り、特に操作中に煩わしさ感じることなく、操作性の良好なデジタル放送受信装置に関する。
【背景技術】
【０００２】
現在の受信環境で視聴できない編成チャンネルのリストが表示でき、ユーザが受信できないチャンネルを選局したり、誤って契約したりすることが防止できるデジタル放送受信装置に関し、下記特許文献１記載の提案がある。
【０００３】
この特許文献１の記載によれば、共同受信システムの方式によっては一部の伝送チャンネルがアンテナケーブルに重畳されず、受信装置として受信できない伝送チャンネルが存在する。そして受信環境で視聴できない編成チャンネルのリストを表示し、ユーザが受信できないチャンネルを選局したり、誤って契約したりすることが防止できることが開示されている。
【特許文献１】特開２００１−３６８３４号公報
【発明の開示】
【発明が解決しようとする課題】
【０００４】
前述のようにリストにより視聴できないチャンネルを表示する受信装置では、放送が行なわれていることを前提としている。
【０００５】
衛星デジタル放送は、全国で同時に受信することができるが、地上デジタル放送は、地域や環境により、放送開始時期が異なる。そのためまだ地上デジタル放送が開始されていない等、地上デジタル対応のテレビジョン受信装置を使っていても、受信が可能とは限らない。その場合、リモコン操作により、受信できないチャンネルにもかかわらず選局処理をしてしまい、煩わしく感じることがある。また、地上デジタル放送は、全国同時に開始されず、地域により順に開始されるため、視聴者は自分の地域でいつ視聴可能になったかを知ることが難しい。
【０００６】
本発明はこのような技術背景に鑑みてなされたものであり、その目的は、操作性の良好なデジタル放送受信装置を提供することにある。
【課題を解決するための手段】
【０００７】
前記目的を達成するため、本発明の第１の手段は、例えばリモコンなどの選局を行なう選局手段と、少なくともデジタル放送受信用のデジタルチューナを有するチューナ処理部と、前記デジタルチューナでデジタル放送を視聴することの設定がなされているかどうかを判断する受信設定処理部と、前記選局手段からの選局信号に基づいて前記チューナ処理部を制御して選局動作を行なうとともに、前記デジタルチューナでデジタル放送を視聴することの設定がなされていない場合にデジタル放送の受信が可能なチャンネルがあるかどうかをサーチする機能を有する選局処理部とを備えたことを特徴とするものである。
【０００８】
本発明の第２の手段は前記第１の手段において、前記選局処理部でデジタル放送の受信が可能なチャンネルがあると判定されると、前記受信設定処理部でデジタル放送を受信することの設定がなされているかどうかをチェックする構成になっていることを特徴とするものである。
【０００９】
本発明の第３の手段は前記第２の手段において、前記受信設定処理部でデジタル放送を受信することの設定がなされていないと判定されると、デジタル放送の受信が可能なことをユーザへ通知する例えば画面表示、通知音、音声、ＬＥＤ点灯などの通知手段を備えたことを特徴とするものである。
【００１０】
本発明の第４の手段は前記第３の手段において、前記通知手段は、デジタル放送受信の設定変更を促す通知を共に行う構成になっていることを特徴とするものである。
【００１１】
本発明の第５の手段は前記第１の手段において、前記選局処理部でデジタル放送の受信が可能なチャンネルがあると判定されると、そのチャンネルは新規に追加されたチャンネルかどうかを判断して、追加されたチャンネルであるとその旨をユーザへ通知する通知手段を備えたことを特徴とするものである。
【００１２】
本発明の第６の手段は前記第１の手段において、前記選局処理部でデジタル放送の受信が可能なチャンネルがあると判定されると、そのチャンネルの同調周波数をチックして、そのチェック結果以前から存在していたチャンネルで新たな周波数に変更されたものであると判断されると、その旨をユーザへ通知する通知手段を備えたことを特徴とするものである。
【００１３】
本発明の第７の手段は前記第１の手段において、前記選局処理部でデジタル放送の受信が可能なチャンネルがあると判定されると、そのチャンネルの同調周波数と受信した信号に乗っている周波数情報を比較して、両周波数が異なると判断されると、その旨をユーザへ通知する通知手段を備えたことを特徴とするものである。
【００１４】
本発明の第８の手段は前記第５ないし７の手段において、前記追加されたチャンネル情報、周波数の変更情報、同調周波数と受信した信号に乗っている周波数情報との相違情報のうちの少なくとも１つのデジタル放送に関する情報が、前記デジタル放送を受信することの設定がなされていないデジタルチューナで取得されることを特徴とするものである。
【００１５】
本発明の第９の手段は前記第１の手段において、前記受信設定処理部が、デジタル放送を受信するがどうかの設定をユーザが行えるユーザメニューを有していることを特徴とするものである。
【００１６】
本発明の第１０の手段は前記第１の手段において、前記デジタル放送が地上デジタル放送であることを特徴とするものである。
【００１７】
本発明の第１１の手段は、例えばリモコンなどの選局を行なう選局手段と、少なくともデジタル放送受信用のデジタルチューナを有するチューナ処理部と、前記デジタルチューナでデジタル放送を視聴することの設定がなされているかどうかを判断する受信設定処理部と、前記選局手段からの選局信号に基づいて前記チューナ処理部を制御して選局動作を行なうとともに、前記デジタルチューナでデジタル放送を視聴することの設定がなされていない場合にデジタル放送の番組情報を取得する機能を有する選局処理部とを備えたことを特徴とするものである。
【発明の効果】
【００１８】
本発明は前述のような構成になっており、以下の効果を有する。  
（１）     デジタル受信設定が「受信しない」になっているが、チャンネルサーチにより受信可能なチャンネルが見つかった場合には、設定の変更を促す通知ができ、ユーザは放送の開始を知り、設定を変更することが可能となり、操作性が良好である。
【００１９】
（２）デジタル放送の追加や状態変化に対して、視聴者が迅速に対応することができる。
【００２０】
（３）ユーザが視聴していないデジタル放送の番組情報を取得しておくことができる。
【発明を実施するための最良の形態】
【００２１】
次に本発明の実施形態を図に基づいて説明する。図１は、実施形態に係るデジタル放送受信装置の機能ブロック図である。
【００２２】
デジタル放送受信装置は図に示すように、チューナ処理部１０１、選局処理部１０２、映像音声出力部１０３、システム制御部１０４、受信設定処理部１０５、入力部１０６、リモコン１０７、設定情報格納手段１０８から主に構成されている。図中の１０９はアンテナ、１１０は放送用衛星である。各部の接続関係は図に示す通りである。
【００２３】
このデジタル放送受信装置の機能の概要を説明する。ユーザがリモコン１０７を用いて操作すると、入力部１０６がリモコン１０７からの選局信号を受け、システム制御部１０４に処理の指示を伝える。システム制御部１０４は、ユーザからの指示に従い、選局処理部１０２へ選局動作の指示を送る。それを受けた選局処理部１０２はチューナ処理部１０１を制御し、ユーザが希望する放送を選局し、その結果、選局した放送の番組が映像音声出力部１０３からテレビ画面（図示せず）へ映し出される。
【００２４】
チューナ処理部１０１は、図１に示すようにＢＳ／ＣＳ衛星チューナ１０１ａ、地上デジタルチューナ１０１ｂ、地上アナログチューナ１０１ｃなど複数のチューナを有し、選局処理部１０２からの選局指示により、いずれかのチューナを選択して希望の放送を受信することができる。
【００２５】
受信設定処理部１０５において地上デジタルチューナ１０１ｂが視聴するために選択されているかどうかを判断して、地上デジタルチューナ１０１ｂが視聴選択されていない場合に、後述のチャンネルサーチ等の機能で地上デジタル放送の情報を取得する。
【００２６】
また受信設定処理部１０５は図２のような設定メニューを装備し、地上デジタル受信の設定を行なうことができる。この設定は「地上デジタル受信設定メニュー」等の項目名で、地上デジタルを受信するか、受信しないかを、ユーザが自由に選択、設定することができる。ここで設定された情報は、システム制御部１０４を介して設定情報格納手段１０８で保存される。
【００２７】
次に図３のフローチャートを用いて、地上デジタル受信設定をチェックする処理概要を説明する。リモコン１０７の放送切換ボタン等により放送切換の処理を行なう場合は、視聴するネットワークをＢＳデジタル→ＣＳデジタル→地上デジタル→ＢＳデジタル→……といったように、ループして切換処理を行なう。
【００２８】
ここで本発明では、ＢＳ／ＣＳ衛星チューナ１０１ａでの視聴中に、放送切換の処理が開始されると（Ｓ３０１）、受信設定処理部１０５において設定情報格納手段１０８に保存されている地上デジタル放送の受信設定をチェックする（Ｓ３０２）。そして「受信する」設定になっていた場合は、地上デジタル放送も含めた前記ループで放送切換の処理を行なう（Ｓ３０３）。Ｓ３０２のチェック結果、「受信しない」設定になっていた場合は、地上デジタル放送をスキップして次（例えばＢＳデジタル放送）へ放送切換の処理を行なう（Ｓ３０４）。
【００２９】
以上により地上デジタル放送が開始されていないような地域のユーザは、地上デジタル放送の受信設定を「受信しない」にすることにより、地上デジタル放送の受信を行なわないようにする。これにより、受信できないことが明らかなのに「受信できません」といった警告を画面に表示されて、煩わしく感じることを避けることができる。
【００３０】
ここでは放送切換ボタンでのループ切換を例に挙げたが、他にネットワークを指定して選局するようなボタンでの処理も同様である。また選局動作の切り換えだけでなく、地上デジタル受信設定の設定内容により、他の地上デジタル放送に関わるメニュー表示を切り換えることも可能である。例えば地上デジタル受信設定が「受信しない」になっている場合は、それに連動して地上デジタル信号強度表示メニューが無効となり、「受信する」に設定すると有効となるようなメニュー動作の切り換えも可能である。
【００３１】
また前記Ｓ３０４の処理で地上デジタル放送を受信しない場合、地上デジタル放送をスキップして次の例えばＢＳデジタル放送を受信する。つまりこの状態では、ＢＳ／ＣＳ衛星チューナが視聴目的で使用され、地上デジタルチューナは視聴目的では使用されておらず、この未使用のチューナを用いて後述する例えば新規に追加されたチャンネル、同調周波数の変更、同調周波数と受信した信号に乗っている周波数情報との違いなどの地上デジタル放送に関する情報を取得することができるようになっている。
【００３２】
次に図４のフローチャートを用いて、地上デジタル放送の受信の有無をチエックする処理概要を説明する。
【００３３】
前述と同様に、ＢＳ／ＣＳ衛星チューナ１０１ａでの視聴中に放送切換の処理が開始されると（Ｓ４０１）、受信設定処理部１０５において設定情報格納手段１０８に保存された地上デジタルの受信設定をチェックする（Ｓ４０２）。「受信する」設定になっていた場合は、地上デジタル放送も含めた前記ループで放送切換の処理を行なう（Ｓ４０３）。Ｓ４０２のチェック結果、「受信しない」設定になっていた場合は、地上デジタル放送をスキップして次の例えばＢＳデジタル放送へ放送切換の処理を行なう（Ｓ４０４）。
【００３４】
Ｓ４０３で地上デジタル放送への選局動作を行なった後、地上デジタル放送が受信できたかどうか、チェックを行なう（Ｓ４０５）。ここでは、選局処理部１０２よりチューナ処理部１０１へ、地上デジタル放送の選局指示を行なったにもかかわらず、映像音声が出力されなければ受信できない等といったチェックを行なう。受信できていれば処理は終了するが（Ｓ４０７）、Ｓ４０５で受信できないと判断されたら、「受信できません」といった警告画面だけでなく、図５のような画面を表示し、『地上デジタル放送を受信できません。地上デジタル受信設定メニューで「受信する」に設定されていますが、設定を変更しますか？』等の内容と「変更する」，「変更しない」を画面表示し、ユーザが地上デジタル受信設定の変更を行なうことを可能とする。
【００３５】
以上により、地上デジタル放送が開始されていないような地域のユーザが、地上デジタル放送の受信設定が「受信する」になっており、受信できないのにもかかわらず受信動作を行なってしまい、「受信できません」といった警告が画面に表示された場合、そこで設定の変更を促す画面が表示され、設定を変更することにより、度々「受信できません」と表示されて、煩わしく感じることを避けることができる。
【００３６】
ここでは放送切換ボタンでのループ切換を例にあげたが、他にネットワークを指定して選局するようなボタンでの処理も同様である。また、ここでの実施形態では、一度、地上デジタル放送が受信できなければ、設定の変更を促しているが、受信できなかった回数をカウントすることにより、複数回受信ができなれば設定変更を促すようにすることも可能である。
【００３７】
次に図６のフローチャートを用いて、チャンネルサーチの処理概要を説明する。本発明の地上デジタル受信装置には、地上デジタル放送の受信可能なチャンネルをサーチする機能がある。このチャンネルサーチは、図１においてシステム制御部１０４からの信号に基づいて選局処理部１０２で行なわれる。チャンネルサーチを定期的に行なうか、ユーザからの操作により行なうかは、受信装置の製品仕様により異なる。
【００３８】
チャンネルサーチを開始し（Ｓ６０１）、チャンネルサーチの処理を行なった（Ｓ６０２）後、受信可能な地上デジタル放送のチャンネルが存在したかどうかチェックを行なう（Ｓ６０３）。受信可能なチャンネルがあった場合は、受信設定処理部１０５で地上デジタル受信設定の設定内容をチェックする（Ｓ６０４）。ここで、地上デジタル放送を「受信する」設定になっていたら、チャンネルサーチの動作を終了する（Ｓ６０６）。Ｓ６０４のチェック結果、地上デジタル受信設定が「受信しない」になっていた場合は、図７のような画面表示を行ない、地上デジタル受信設定の変更を促す（Ｓ６０５）。
【００３９】
ここでの画面表示の例では、『地上デジタル放送を受信可能です。地上デジタル受信設定メニューで「受信しない」に設定されていますが、設定を変更しますか？』といった内容と、「変更する」，「変更しない」を画面表示し、ユーザが地上デジタル受信設定の変更を行なうことを可能とする。
【００４０】
以上により、地上デジタル放送が開始されていないような地域のユーザは、地上デジタル放送の受信設定を「受信しない」にしていても、チャンネルサーチの処理により、地上デジタル放送を受信可能になったことを画面で知ることができ、そこで設定の変更を行なうことが可能となる。
【００４１】
本発明のデジタル放送受信装置は、地上デジタル放送を受信できることを検知した場合や、ユーザに設定の変更を促す際に、視聴画面へのお知らせ表示、視聴中の通知音、音声、本体ＬＥＤの点灯などの１つ以上の通知手段を用いてユーザに確実に通知を行なうことができる。
【００４２】
図８は、チャンネルサーチ結果による放送局の追加を提示するときのフローチャートである。
【００４３】
地上デジタルチューナが視聴選択されていないと判断されたときに、地上デジタル放送のチャンネルサーチ機能が開始される（Ｓ８０１）。そしてチャンネルサーチの処理を行い（Ｓ８０２）、受信できた地上デジタル放送のチャンネルの有無をＳ８０３で確認し、受信できたチャンネルに対して、従来から存在していたチャンネルかどうかをＳ８０４で判定する。
【００４４】
デジタル放送では受信できるトランスポートストリームにおいて、トランスポートストリーム識別番号やネットワーク識別番号といったそのトランスポートストリームに固有な情報が付加されている。この識別番号の比較により、受信した信号が、従来受信されておらず、新規に追加された新しい放送であるかどうかが判断できる。
【００４５】
この判定により新規追加放送局があると判断された場合、すなわち増加チャンネルがあったと判断された場合、Ｓ８０５のユーザへの提示処理により、視聴者へ新しい放送局が増えたことを通知する。このユーザへの提示処理は、視聴画面へのお知らせ表示、視聴中の通知音、音声、本体ＬＥＤの点灯などの１つ以上の通知手段で行われる。これにより確実に視聴者に対して新しい放送局が追加されたことを伝えることができる。Ｓ８０４で新規追加放送局が無いと判断された場合は、チャンネルサーチの処理を終了する（Ｓ８０６）。
【００４６】
図９は、チャンネルサーチ結果による受信周波数変更を提示するときのフローチャートである。
【００４７】
地上デジタルチューナが視聴選択されていないと判断されたときに、地上デジタル放送のチャンネルサーチ機能が開始される（Ｓ９０１）。そしてチャンネルサーチの処理を行い（Ｓ９０２）、受信できた地上デジタル放送のチャンネルの有無をＳ９０３で確認し、受信できたチャンネルに対して、同調周波数の変更があったかどうかをＳ９０４で判定する。トランスポートストリーム識別番号やネットワーク識別番号等の比較により、同一の放送局において周波数の変更があったかどうかの判断ができる。
【００４８】
この判定により放送局の周波数変更があったと判断された場合は、Ｓ９０５のユーザへの提示処理により、視聴者へ放送局の周波数が変更されたことを通知する。このユーザへの提示処理は、視聴画面へのお知らせ表示、視聴中の通知音、音声、本体ＬＥＤの点灯などの１つ以上の通知手段で行われる。これにより確実に視聴者に対して放送局の周波数が変更されたことを伝えることができる。地上デジタル放送では電波の有効利用のために周波数を変更する可能性があるため、前述のように周波数の変更を通知すると視聴者の混乱を防ぐことができる。Ｓ９０４で周波数を変更したチャンネルが無いと判断された場合は、チャンネルサーチの処理を終了する（Ｓ９０６）。
【００４９】
図１０は、チャンネルサーチ結果による地上デジタル放送の受信周波数が受信した信号の周波数と異なることを提示するフローチャートである。
【００５０】
地上デジタルチューナが視聴選択されていないと判断されたときに、地上デジタル放送のチャンネルサーチ機能が開始される（Ｓ１００１）。そしてチャンネルサーチの処理を行い（Ｓ１００２）、受信できた地上デジタル放送のチャンネルの有無をＳ１００３で確認し、受信できたチャンネルに対して、その実際に同調した周波数と受信した信号に記載されている周波数が同一かどうかをＳ１００４で判定する。
【００５１】
デジタル放送にはＮｅｔｗｏｒｋ  Ｉｎｆｏｍａｔｉｏｎ  Ｔａｂｌｅ（以下ＮＩＴと略す）と呼ばれる、その信号が送出されるネットワークや伝送関係の情報を送るテーブルがある。このＮＩＴの中には該当信号が伝送される周波数情報を送る記述子も存在する。このＮＩＴ内に記載された周波数情報と実際に同調できた周波数の比較により、受信した信号が、放送局の送出条件と同一であるかどうかが判断できる。
【００５２】
この判定により放送局の送出条件と異なると判断された場合、Ｓ１００５のユーザへの提示処理により、視聴者へ放送局の送出条件と異なることを通知する。このユーザへの提示処理は、視聴画面へのお知らせ表示、視聴中の通知音、音声、本体ＬＥＤの点灯などの１つ以上の通知手段で行われる。これにより確実に視聴者に対して放送局の送出条件と異なることを伝えることができる。地上デジタル放送をケーブルテレビで再送信するときに伝送周波数を変えることがあり、これによって引き起こされる視聴者の混乱を防ぐこともできる。Ｓ１００４で周波数が一致していると判断された場合は、チャンネルサーチの処理を終了する（Ｓ１００６）。
【００５３】
地上デジタルチューナが視聴選択されていない場合でも地上デジタル放送の情報を取得する手段として、前記実施形態ではチャンネルサーチ機能を使用したが、番組表の情報を順次取り込むなど他の手段を用いることも可能である。
【００５４】
図１１は、番組情報取得機能を用いた場合のフローチャートである。地上デジタルチューナが視聴選択されていないと判断されたときに、地上デジタル放送の番組情報取得機能が開始される（Ｓ１１０１）。Ｓ１１０２で同調すべき地上デジタル放送の受信可能チャンネルが残っているかどうかを確認する。受信可能チャンネルが無い場合は、Ｓ１１０７の処理終了とする。
【００５５】
受信可能チャンネルがある場合は、Ｓ１１０３により該当チャンネルへの同調動作（次チャンネルヘの移動）が実行され、Ｓ１１０４で同調の可否を判定する。放送の停波などにより同調ができなかった場合は、Ｓ１１０１へ戻り同じ処理を繰り返す。
【００５６】
同調後、受信チャンネルの番組情報を取得して、Ｓ１１０５で従来の番組情報に対して追加変更があるかを判断する。追加や修正があるかどうかの判定は、デジタル放送の番組情報には該当番組に対する日時情報やバージョン番号が記載されているため、以前受信した情報にない日時情報の番組であったり、バージョン番号を比較してバージョン番号が以前のものより更新されていれば、新しい情報に変更されたことが判断できる。
【００５７】
新しい情報はＳ１１０６により受信機内部に記録する。新しい番組情報がなければＳ１１０１に戻り同じ処理を繰り返す。この動作により、地上デジタル放送を視聴していないときに、地上デジタル放送の番組情報を順次取得しておくことができる。
【図面の簡単な説明】
【００５８】
【図１】本発明の実施形態に係るジタル放送受信装置の機能ブロック図である。
【図２】本発明の地上デジタル受信設定メニューの画面を示す図である。
【図３】本発明の地上デジタル受信設定をチェックするフローチャートである。
【図４】本発明の地上デジタル放送の受信の有無をチェックするフローチャートである。
【図５】本発明の地上デジタル受信設定の変更画面を示す図である。
【図６】本発明のチャンネルサーチのフローチャートである。
【図７】本発明の地上デジタル受信設定の変更画面を示す図である。
【図８】本発明のチャンネルサーチ結果による放送局追加を提示するときのフローチャートである。
【図９】本発明のチャンネルサーチ結果による受信周波数変更を提示するときのフローチャートである。
【図１０】本発明のチャンネルサーチ結果による受信周波数が送出と異なることを提示するときのフローチャートである。
【図１１】本発明の番組情報取得のフローチャートである。
【符号の説明】
【００５９】
１０１：チューナ処理部、１０１ａ：ＢＳ／ＣＳチューナ、１０１ｂ：地上デジタルチューナ、１０１ｃ：地上アナログチューナ、１０２：選局処理部、１０３：映像音声出力部、１０４：システム制御部、１０５：受信設定処理部、１０６：入力部、１０７：リモコン、１０８：設定情報格納手段、１０９：アンテナ。
【図１】
2004297793.tif 000003
【図２】
2004297793.tif 000004
【図３】
2004297793.tif 000005
【図４】
2004297793.tif 000006
【図５】
2004297793.tif 000007
【図６】
2004297793.tif 000008
【図７】
2004297793.tif 000009
【図８】
2004297793.tif 000010
【図９】
2004297793.tif 000011
【図１０】
2004297793.tif 000012
【図１１】
2004297793.tif 000013